(57)【特許請求の範囲】
【請求項１】
それぞれ曲率変化が可能な鏡面シートと背面シートとを、間隔をおいて周縁部で保持しかつ両シート間を気密状態とした鏡本体とからなり、該鏡本体の気密状態の圧力を、前記鏡面シートとは非接触で操作して該鏡面の曲率を変化させることができる手段を背面シートに取付けると共に、弁の開閉によって気密状態が大気圧と適宜同調することができる手段を、前記周縁部における鏡面シートと背面シートとの間に組込んだことを特徴とする鏡。
【発明の詳細な説明】
【技術分野】
【０００１】
この発明は、髭剃り用、化粧用あるいは姿見等に使用する鏡に関するものである。
【背景技術】
【０００２】
従来より、髭剃り、化粧あるいは試着や着付け等を行なう場合、鏡が不可欠で種々の鏡が使用されている。これらの用途に用いる鏡としては、平面鏡が一般的であるが、凹面鏡や凸面鏡として使用することが必要な場合がある。
【０００３】
このために、鏡の両面を用い一方を平面鏡、他方を凹面鏡とし、目的に応じて反転させて使用する鏡が、古くからホテル等で用いられている。
【先行技術文献】
【特許文献】
【０００４】
【特許文献１】特開平１０−１６５２７３号公報
【特許文献２】実開平４−１６９６０号公報
【特許文献３】実開平４−１２５７６３号公報
【発明の概要】
【発明が解決しようとする課題】
【０００５】
前記３件の特許文献は、機械的に鏡面の曲率を変化させ、これによって平面鏡と凹面鏡、凸面鏡に可変させることができる鏡の提案をしている。
【０００６】
このうち特許文献１に開示された可変ミラーは、周縁部をフレームに支持された可撓性鏡面板の中央部を、スライドする軸とカムを組合わせた調節機構を操作ハンドルの回転により作動させ、平面鏡、凹面鏡、凸面鏡に切り替えるもので、手鏡等として用いられるものであり、また他の特許文献２及び３の鏡も、構造は異なるものの背面部に組込んだネジ機構により鏡面板の曲率を変化させて、同様な可変ミラーとするものである。
このようにシートや板状の鏡面材を用いてこの曲率を変化させる場合、鏡面板に直接力を加えると、力を加えた箇所とそうでない箇所との曲率の変化に微妙な差ができて鏡面が歪むおそれがあり、また機械的に曲率を変えるためある程度曲率の変化を段階的にせざるを得ない場合も生じ、任意の曲率が選びにくい面がある。
本発明はこのような状況に鑑み、気体である流体を巧みに利用し、曲面が変化できる鏡面シートを、非接触の状態で変化させて平面鏡、凹面鏡又は凸面鏡として使用できる鏡を提供しようとするものである。
【課題を解決するための手段】
【０００７】
本発明は前記の如き状況に鑑み、その要旨とするところは、それぞれ曲率変化が可能な鏡面シートと背面シートとを、間隔をおいて周縁部で保持しかつ両シート間を気密状態とした鏡本体とからなり、該鏡本体の気密状態の圧力を、前記鏡面シートとは非接触で操作して該鏡面の曲率を変化させることができる手段を背面シートに取付けると共に、弁の開閉によって気密状態が大気圧と適宜同調することができる手段を、前記周縁部における鏡面シートと背面シートの間に組込んだことを特徴とする鏡に係るものである。
【発明の効果】
【０００８】
本発明は、前述の如き特徴を有するもので、それぞれ曲率変化が可能な鏡面シートと背面シートとを、間隔をおいて周縁部で保持しかつ両シート間を気密状態とした鏡本体とからなり、該鏡本体の気密状態の圧力を、前記鏡面シートとは非接触で操作して該鏡面の曲率を変化させることができる手段を背面シートに取付けたことを特徴とするものであるから、鏡面シート全面にわたって曲率部の曲率を滑らかに変化させることができるので歪みのない鏡が提供でき、しかもその構造上平面、凹面及び凸面を所望の背面に任意にかつ簡単に操作できる利点があり、なおかつ構造を簡潔にして軽量化を図ることができるものであると共に、弁の開閉によって気密状態が大気圧と適宜同調することができる手段を、前記周縁部における鏡面シートと背面シートの間に組込んでいるため、空気の膨張収縮による影響を受けなくなる利点がある。
【図面の簡単な説明】
【０００９】
【図１】本発明の実施例を示す断面図である。
【図２】図１における操作部分の主要部を示す部分断面図である。
【図３】図１における大気圧を適宜同調させるための手段を示す部分拡大断面図である。
【発明を実施するための形態】
【００１０】
以下本発明の実施の形態を図面に基づき説明する。
【００１１】
図面は本発明の実施例を示すもので、平面鏡及び凹面鏡に変化させることができる鏡の例である。このうちの図１は鏡の断面を示し、図２は操作部の主要部を示しており、図３は大気圧を適宜同調させる手段を示している。図中１は鏡面シート、２はケース本体、３はケース本体の周縁部、４は背面シート、５は周縁部３に設けた孔である。
【００１２】
図１において、ケース本体２にそれぞれ曲率変化が可能な鏡面シート１と背面シート４とを所定の間隔をおいて、しかも周縁部３で気密状態に保持し鏡本体として用いるものである。このときの少なくとも鏡面シート1、できれば背面シート４共に、弛みの生じないよう張力をかけて保持することが望ましい。そして、この背面シート４の中心部には頭部が膨らんだ作動棒６を固着し、この作動棒６を矢印方向に引くことにより背面シート４を下方に湾曲させて気密室の圧力を変化させ、これによって表面の鏡面シート１を同調させて下方に凹の曲面にし凹面鏡として使用できるようにするものである。
【００１３】
この例における気密状態の圧力を変化させることができる手段としては、図２に示すようなスライド部材７をケース本体２底面に組込んで作動棒６の出没を行なうものである。すなわち、このスライド部材７は、断面略Ｌ型の枠材８の一端に把持部９、前記作動棒６を貫通させる略へ字状で図の左方向に傾斜するスライド溝１１を設け、前記作動棒６に対応する箇所には通過孔１２を設けている。また枠材８の所定位置に設けた止め板１３には、スプリング１０の一端を固定し、この状態で図１の如く組込んで、把持部９を把持して矢印ｅ方向にスライドできるようになっている。
またこの例では、図１及び図３に示すように、弁１４とその状態を維持するスプリング１５によって、弁の開閉による大気圧との同調ができるようになっている。
【００１４】
この実施例の鏡を使用する場合には、図１のように指先で把持部９をつまんで矢印ｅの右方向に引くと、スライド溝１１に作動棒６がその溝の案内により徐々に矢印ｄのように引かれ、背面シート４が下方に凸の状態になる。すると鏡面シート１との空間は圧力が高まり、図３の弁１４がスプリング１０に抗して密封されながら、鏡面シート１は非接触で凹面鏡の状態を呈することとなる。したがって、この状態で凹面鏡として使用することができ、図１の元の状態にするには把持部９を解除することにより、スライド部材７を戻すことで、平面鏡として使用できることとなる。
【００１５】
この状態では、図３のように弁１４はスプリング１５により小空隙がある状態で保持されるため、ここから空気との連通がなされ大気圧と同調して空気の膨張収縮による影響を受けなくなる。なお図中１６は、Ｏリングである。
【００１６】
なお本発明に使用する曲率変化が可能な鏡面シート１としては、例えば厚さ５〜３０μｍ程度の透明ポリエステルフィルムの内側面に、アルミ蒸着による鏡面膜を設けたシートが使用できる。またケース本体２としては、合成樹脂や軽合金の成形品が使用できる。
【００１７】
図１ないし図３で説明したこの実施例は、平面鏡と凹面鏡とに変化させて使用するものであるが、スライド機構を改変させることで、さらに凸面鏡として使用することができる鏡とすることも可能であり、また平面鏡と凸面鏡との組み合わせの鏡としても使用することができるものである。
【００１８】
またこの場合のスライド機構を省略して、作動棒６を直接指で把持して出没させ背面シート４の曲率を変化させるようにして用いることもできる。
【符号の説明】
【００１９】
１    鏡面シート
２    ケース本体
３    周縁部
４    背面シート
５    孔
６    作動棒
７    スライド部材
８    枠材
９    把持部
１０、１５  スプリング
１１    スライド溝
１２    通過孔
１３    止め板
１４    弁
１６    Ｏリング
【図１】
0005743114.tif 000002
【図２】
0005743114.tif 000003
【図３】
0005743114.tif 000004